(57)【特許請求の範囲】
【請求項１】
先端部と、前記先端部に接続されていて前記先端部より細い柱状部とを備えている鼻緒と、前記柱状部が挿入される貫通孔が形成されていて前記貫通孔からの前記先端部の抜けを前記先端部への接触によって防止する台とを備えているサンダルを組み立てるサンダル組み立て装置であって、
前記貫通孔を通過させられるための通過用部材と、
前記貫通孔に挿入されている状態の前記通過用部材を支持する支持部材と、
前記支持部材に支持されている状態の前記通過用部材に前記貫通孔を通過させるために前記台を梃子の原理で押すための台押用部材とを備えており、
前記通過用部材は、
前記支持部材に支持されるための被支持部と、
前記先端部を固定する先端固定部とを備えており、
前記台押用部材は、
前記台に接触して作用点となる作用点部と、
前記作用点部より一端側に配置されていて前記支持部材に接触して支点となる支点部と、
前記作用点部より他端側に配置されていて力点となる力点部とを備えていることを特徴とするサンダル組み立て装置。
【請求項２】
前記支持部材は、前記被支持部が前記先端固定部より鉛直方向における上側に配置される状態で前記通過用部材を支持するとともに、前記支点部に鉛直方向における上側から接触することを特徴とする請求項１に記載のサンダル組み立て装置。
【請求項３】
前記台押用部材は、前記支持部材に支持されている状態の前記通過用部材が挿入されるための長穴が前記一端から前記他端に向けて形成されており、
前記支持部材は、前記台押用部材の前記一端側が挿入されて前記支点部と接触する支点用溝部が形成されていることを特徴とする請求項１または請求項２に記載のサンダル組み立て装置。
【請求項４】
前記支持部材は、前記被支持部を支持する複数の支持部を備えていることを特徴とする請求項１から請求項３までの何れかに記載のサンダル組み立て装置。
【請求項５】
前記先端固定部は、前記先端部を間に挟み込んで固定する二股部を備えていることを特徴とする請求項１から請求項４までの何れかに記載のサンダル組み立て装置。
【請求項６】
前記二股部は、前記柱状部の延在方向が前記通過用部材の延在方向と交差する状態で前記先端部が嵌る溝部を備えていることを特徴とする請求項５に記載のサンダル組み立て装置。
【請求項７】
請求項１から請求項６までの何れかに記載のサンダル組み立て装置を使用して前記サンダルを組み立てることを特徴とするサンダル組み立て方法。
【発明の詳細な説明】
【技術分野】
【０００１】
本発明は、鼻緒を台に取り付けてサンダルを組み立てるサンダル組み立て装置およびサンダル組み立て方法に関する。
【背景技術】
【０００２】
従来、足を支えるための台と、足を台に固定するための鼻緒とを備えているサンダルが知られている（例えば、特許文献１参照。）。鼻緒は、台に接触することによって台から離隔することを防止するための先端部と、先端部に接続されていて先端部より細い柱状部とを備えている。台は、鼻緒の柱状部が挿入される貫通孔が形成されていて、貫通孔からの鼻緒の先端部の抜けを鼻緒の先端部への接触によって防止している。
【０００３】
従来のサンダルは、鼻緒が台に取り付けられることによって組み立てられる場合に、鼻緒の先端部が台の貫通孔を通過する方向に鼻緒の先端部が台に対して作業者によって引っ張られることによって、鼻緒の先端部が台の貫通孔を通過させられる。
【先行技術文献】
【特許文献】
【０００４】
【特許文献１】実用新案登録第３１５３５００号公報
【発明の概要】
【発明が解決しようとする課題】
【０００５】
しかしながら、従来のサンダルの組み立て方法においては、鼻緒の先端部に台の貫通孔を通過させるために作業者の強い力が必要であるので、作業者の負担が大きいという問題がある。
【０００６】
そこで、本発明は、作業者の負担を従来より軽減することができるサンダル組み立て装置およびサンダル組み立て方法を提供することを目的とする。
【課題を解決するための手段】
【０００７】
本発明のサンダル組み立て装置は、先端部と、前記先端部に接続されていて前記先端部より細い柱状部とを備えている鼻緒と、前記柱状部が挿入される貫通孔が形成されていて前記貫通孔からの前記先端部の抜けを前記先端部への接触によって防止する台とを備えているサンダルを組み立てるサンダル組み立て装置であって、前記貫通孔を通過させられるための通過用部材と、前記貫通孔に挿入されている状態の前記通過用部材を支持する支持部材と、前記支持部材に支持されている状態の前記通過用部材に前記貫通孔を通過させるために前記台を梃子の原理で押すための台押用部材とを備えており、前記通過用部材は、前記支持部材に支持されるための被支持部と、前記先端部を固定する先端固定部とを備えており、前記台押用部材は、前記台に接触して作用点となる作用点部と、前記作用点部より一端側に配置されていて前記支持部材に接触して支点となる支点部と、前記作用点部より他端側に配置されていて力点となる力点部とを備えていることを特徴とする。
【０００８】
この構成により、本発明のサンダル組み立て装置は、梃子の原理を利用して鼻緒の先端部に台の貫通孔を通過させるので、鼻緒の先端部に台の貫通孔を通過させるために必要な作業者の力を従来より低減することができる。したがって、本発明のサンダル組み立て装置は、作業者の負担を従来より軽減することができる。
【０００９】
また、本発明のサンダル組み立て装置において、前記支持部材は、前記被支持部が前記先端固定部より鉛直方向における上側に配置される状態で前記通過用部材を支持するとともに、前記支点部に鉛直方向における上側から接触しても良い。
【００１０】
この構成により、本発明のサンダル組み立て装置は、鼻緒の先端部に台の貫通孔を通過させるために作業者が台押用部材の力点部を押す方向が鉛直方向における上側から下側への方向であるので、鼻緒の先端部に台の貫通孔を通過させるために作業者が台押用部材の力点部を押す場合に作業者に作業者自身の体重を利用させることができる。したがって、本発明のサンダル組み立て装置は、鼻緒の先端部に台の貫通孔を通過させるために必要な作業者の力を低減することができるので、作業者の負担を軽減することができる。
【００１１】
また、本発明のサンダル組み立て装置において、前記台押用部材は、前記支持部材に支持されている状態の前記通過用部材が挿入されるための長穴が前記一端から前記他端に向けて形成されており、前記支持部材は、前記台押用部材の前記一端側が挿入されて前記支点部と接触する支点用溝部が形成されていても良い。
【００１２】
この構成により、本発明のサンダル組み立て装置は、通過用部材が台の貫通孔に挿入されているとともに支持部材に支持されている場合に、台押用部材の長穴に通過用部材が挿入されて、支持部材の支点用溝部に台押用部材の一端側が挿入されるように、台押用部材が移動させられるだけで、支持部材および台に対して台押用部材が適切な位置に配置されるので、サンダルの組み立ての作業性を向上することができる。
【００１３】
また、本発明のサンダル組み立て装置において、前記支持部材は、前記被支持部を支持する複数の支持部を備えていても良い。
【００１４】
この構成により、本発明のサンダル組み立て装置は、台の複数の貫通孔に別々に挿入されている状態の複数の通過用部材を複数の支持部によって別々に支持している状態で作業者によって台押用部材で台が押されることによって、鼻緒の複数の先端部に台の複数の貫通孔を１回の工程で通過させることができるので、サンダルの組み立ての作業の工程の数を低減することができる。したがって、本発明のサンダル組み立て装置は、作業者の負担を軽減することができる。
【００１５】
また、本発明のサンダル組み立て装置において、前記先端固定部は、前記先端部を間に挟み込んで固定する二股部を備えていても良い。
【００１６】
この構成により、本発明のサンダル組み立て装置は、通過用部材の二股部の間に鼻緒の先端部が挟み込まれるだけで鼻緒の先端部が通過用部材の先端固定部に固定されるので、サンダルの組み立ての作業性を向上することができる。
【００１７】
また、本発明のサンダル組み立て装置において、前記二股部は、前記柱状部の延在方向が前記通過用部材の延在方向と交差する状態で前記先端部が嵌る溝部を備えていても良い。
【００１８】
この構成により、本発明のサンダル組み立て装置は、鼻緒の先端部が台の貫通孔を通過する際に台に対して鼻緒の先端部が傾けられるので、鼻緒の先端部が台の貫通孔を通過するために必要な貫通孔の拡がりを抑えることができ、鼻緒の先端部に台の貫通孔を通過させるために必要な作業者の力を低減することができる。したがって、本発明のサンダル組み立て装置は、作業者の負担を軽減することができる。
【００１９】
本発明のサンダル組み立て方法は、上述のサンダル組み立て装置を使用して前記サンダルを組み立てることを特徴とする。
【００２０】
この構成により、本発明のサンダル組み立て方法は、作業者の負担を従来より軽減することができる。
【発明の効果】
【００２１】
本発明のサンダル組み立て装置およびサンダル組み立て方法は、作業者の負担を従来より軽減することができる。
【図面の簡単な説明】
【００２２】
【図１】（ａ）本発明の一実施の形態に係るサンダル組み立て装置によって組み立てられるビーチサンダルの一例の外観斜視図であって、上面側から観察した場合の図である。  （ｂ）底面側から観察した場合の図１（ａ）に示すビーチサンダルの外観斜視図である。
【図２】図１に示すビーチサンダルの側面断面図である。
【図３】（ａ）図１に示す台の平面図である。  （ｂ）図３（ａ）に示す台の底面図である。
【図４】台に取り付けられていない状態での図１に示す鼻緒の平面図である。
【図５】鼻緒が台に取り付けられる直前の状態での本発明の一実施の形態に係るサンダル組み立て装置の側面図である。
【図６】（ａ）図５に示す通過用部材の平面図である。  （ｂ）図６（ａ）に示す通過用部材の背面図である。  （ｃ）図６（ａ）に示すＡ−Ａ矢視断面図である。
【図７】（ａ）正面側から観察した場合の図５に示す支持部材の外観斜視図である。  （ｂ）背面側から観察した場合の図７（ａ）に示す支持部材の外観斜視図である。
【図８】（ａ）図５に示す台押用部材の平面図である。  （ｂ）図８（ａ）に示す台押用部材の正面図である。
【図９】図５に示すサンダル組み立て装置を使用したビーチサンダルの組み立て方法の一工程を示す図である。
【図１０】図９に示す工程の後の工程を示す図である。
【図１１】図１０に示す工程の後の工程を示す図である。
【図１２】図１１に示す工程の後の工程を示す図である。
【図１３】図５に示すサンダル組み立て装置を使用したビーチサンダルの組み立て方法の一工程であって、図９〜図１２に示す工程とは異なる工程を示す図である。
【発明を実施するための形態】
【００２３】
以下、本発明の一実施の形態について、図面を用いて説明する。
【００２４】
まず、本実施の形態に係るサンダル組み立て装置によって組み立てられるサンダルの構成について説明する。
【００２５】
図１（ａ）は、本実施の形態に係るサンダル組み立て装置によって組み立てられるサンダルとしてのビーチサンダル９０の一例の外観斜視図であって、上面側から観察した場合の図である。図１（ｂ）は、底面側から観察した場合のビーチサンダル９０の外観斜視図である。図２は、ビーチサンダル９０の側面断面図である。
【００２６】
図１および図２に示すように、ビーチサンダル９０は、足を支えるための台９１と、足を台９１に固定するための鼻緒９２とを備えている。
【００２７】
図３（ａ）は、台９１の平面図である。図３（ｂ）は、台９１の底面図である。
【００２８】
図１〜図３に示すように、台９１は、上面９１ａ側から底面９１ｂ側に貫通している３つの貫通孔９１ｃと、底面９１ｂ側で貫通孔９１ｃに連通している円形状の溝９１ｄとが形成されている。
【００２９】
台９１は、例えば、天然ゴム、合成ゴムなど、弾性限界が高い材料によって形成されている。
【００３０】
図４は、台９１に取り付けられていない状態での鼻緒９２の平面図である。
【００３１】
図１、図２および図４に示すように、鼻緒９２は、３つの円形状の先端部９２ａと、先端部９２ａに接続されていて先端部９２ａより細い柱状部９２ｂとを備えている。
【００３２】
鼻緒９２は、例えば、天然ゴム、合成ゴム、ビニール、プラスチックなどの材料によって形成されている。
【００３３】
図１および図２に示すように、ビーチサンダル９０は、台９１の貫通孔９１ｃに鼻緒９２の柱状部９２ｂが挿入されていて、台９１の溝９１ｄに鼻緒９２の先端部９２ａが収納されている。ここで、台９１の貫通孔９１ｃは、鼻緒９２の先端部９２ａより細い。したがって、ビーチサンダル９０は、台９１の貫通孔９１ｃから台９１の上面９１ａ側に鼻緒９２の先端部９２ａが抜けることを、台９１と、鼻緒９２の先端部９２ａとの接触によって防止している。
【００３４】
次に、本実施の形態に係るサンダル組み立て装置の構成について説明する。
【００３５】
図５は、鼻緒９２が台９１に取り付けられる直前の状態での本実施の形態に係るサンダル組み立て装置１０の側面図である。
【００３６】
図５に示すように、サンダル組み立て装置１０は、台９１の貫通孔９１ｃ（図３参照。）を通過させられるための通過用部材２０と、台９１の貫通孔９１ｃに挿入されている状態の通過用部材２０を支持する支持部材３０と、支持部材３０に支持されている状態の通過用部材２０に台９１の貫通孔９１ｃを通過させるために台９１を梃子の原理で押すための台押用部材４０とを備えている。サンダル組み立て装置１０は、鼻緒９２を台９１に取り付けてビーチサンダル９０（図１参照。）を組み立てる装置である。
【００３７】
図６（ａ）は、通過用部材２０の平面図である。図６（ｂ）は、通過用部材２０の背面図である。図６（ｃ）は、図６（ａ）に示すＡ−Ａ矢視断面図である。
【００３８】
図５および図６に示すように、通過用部材２０は、支持部材３０に支持されるための被支持部２１と、鼻緒９２の先端部９２ａを固定する先端固定部２２とを備えている。
【００３９】
通過用部材２０は、台９１の貫通孔９１ｃに挿入される先頭側が細くなっている略棒状の部材である。通過用部材２０は、例えば、鉄などの材料によって形成されている。
【００４０】
被支持部２１は、通過用部材２０の外周面に設けられた環状の溝によって形成されている。
【００４１】
先端固定部２２は、鼻緒９２の先端部９２ａを間に挟み込んで固定する二股部２２ａを備えている。二股部２２ａは、鼻緒９２の柱状部９２ｂの延在方向が通過用部材２０の延在方向と交差する状態で鼻緒９２の先端部９２ａが嵌る溝部２２ｂを備えている。
【００４２】
図７（ａ）は、正面側から観察した場合の支持部材３０の外観斜視図である。図７（ｂ）は、背面側から観察した場合の支持部材３０の外観斜視図である。
【００４３】
図５および図７に示すように、支持部材３０は、床や机の上などに設置される２つの脚部３１と、２つの脚部３１に支持されている壁部３２と、通過用部材２０の被支持部２１を支持するための２つの支持部３３ａを備えている支持部形成部３３とを備えている。
【００４４】
脚部３１および壁部３２は、例えば、木などの材料によって形成されている。また、支持部形成部３３は、例えば、金属などの材料によって形成されている。
【００４５】
壁部３２は、台押用部材４０の一端４０ａ側が挿入されて台押用部材４０の後述の支点部４２と接触する支点用溝部３２ａが形成されている。
【００４６】
支持部形成部３３は、壁部３２に支持されている。支持部形成部３３の支持部３３ａは、通過用部材２０の被支持部２１が挿入されるための長穴によって形成されている。
【００４７】
図５に示すように、支持部材３０は、通過用部材２０の被支持部２１が通過用部材２０の先端固定部２２より矢印１０ａで示す鉛直方向における上側に配置される状態で通過用部材２０を支持部３３ａで支持するとともに、台押用部材４０の支点部４２に鉛直方向における上側から支点用溝部３２ａで接触する。
【００４８】
図８（ａ）は、台押用部材４０の平面図である。図８（ｂ）は、台押用部材４０の正面図である。
【００４９】
図５および図８に示すように、台押用部材４０は、台９１に接触して作用点となる作用点部４１と、作用点部４１より一端４０ａ側に配置されていて支持部材３０の支点用溝部３２ａに接触して支点となる支点部４２と、作用点部４１より他端４０ｂ側に配置されていて力点となる力点部としての取っ手４３とを備えている。台押用部材４０は、支持部材３０に支持されている状態の通過用部材２０が挿入されるための長穴４０ｃが一端４０ａから他端４０ｂに向けて形成されている。
【００５０】
台押用部材４０は、例えば、木などの材料によって形成されている。
【００５１】
次に、サンダル組み立て装置１０を使用したビーチサンダル９０の組み立て方法について説明する。
【００５２】
まず、作業者は、図９に示すように、台９１の貫通孔９１ｃに台９１の上面９１ａ側から通過用部材２０の先頭を挿し込み、通過用部材２０の半分ほどの長さまで通過用部材２０に台９１の貫通孔９１ｃを通過させる。
【００５３】
次いで、作業者は、図１０に示すように、通過用部材２０の二股部２２ａの溝部２２ｂに鼻緒９２の先端部９２ａを挟み込むことによって、通過用部材２０の先端固定部２２に鼻緒９２の先端部９２ａを固定する。
【００５４】
次いで、作業者は、図１１に示すように、台９１を裏返し、通過用部材２０の被支持部２１を支持部形成部３３の支持部３３ａに挿入することによって、通過用部材２０を支持部材３０に取り付ける。
【００５５】
次いで、作業者は、図５および図１２に示すように、台押用部材４０の長穴４０ｃに通過用部材２０が挿入されて、支持部材３０の支点用溝部３２ａに台押用部材４０の一端４０ａ側が挿入されるように、台押用部材４０を配置する。
【００５６】
次いで、作業者は、取っ手４３を持って矢印１０ｂで示す方向に台押用部材４０で台９１を押し下げることによって、鼻緒９２の先端部９２ａを固定している通過用部材２０に台９１の貫通孔９１ｃを通過させる。このとき、弾性限界が高い材料によって台９１が形成されているので、台９１の貫通孔９１ｃは、通過用部材２０の外周の大きさに沿って一時的に拡がる。
【００５７】
作業者は、通過用部材２０が台９１の貫通孔９１ｃを通過すると、通過用部材２０から鼻緒９２の先端部９２ａを取り外す。すなわち、鼻緒９２は、先端部９２ａが台９１の貫通孔９１ｃを通過する。
【００５８】
そして、作業者は、鼻緒９２の先端部９２ａを台９１の溝９１ｄに収納する。
【００５９】
以上においては、鼻緒９２の３つの先端部９２ａのうち１つの先端部９２ａによる台９１への固定について説明している。しかしながら、作業者は、鼻緒９２の３つの先端部９２ａのうち残りの先端部９２ａについても、同様に台９１に固定することによって、ビーチサンダル９０を製造することができる。
【００６０】
以上に説明したように、サンダル組み立て装置１０は、梃子の原理を利用して鼻緒９２の先端部９２ａに台９１の貫通孔９１ｃを通過させるので、鼻緒９２の先端部９２ａに台９１の貫通孔９１ｃを通過させるために必要な作業者の力を従来より低減することができる。したがって、サンダル組み立て装置１０は、作業者の負担を従来より軽減することができるとともに、ビーチサンダル９０の組み立ての作業時間を短縮することができる。また、サンダル組み立て装置１０は、作業者の負担を従来より軽減することができるので、幼児や高齢者など、力が弱い者であっても、ビーチサンダル９０の組み立てを可能にすることができる。
【００６１】
サンダル組み立て装置１０は、鼻緒９２の先端部９２ａに台９１の貫通孔９１ｃを通過させるために作業者が台押用部材４０の取っ手４３を押す矢印１０ｂで示す方向が矢印１０ａで示す鉛直方向における上側から下側への方向であるので、鼻緒９２の先端部９２ａに台９１の貫通孔９１ｃを通過させるために作業者が台押用部材４０の取っ手４３を押す場合に作業者に作業者自身の体重を利用させることができる。したがって、サンダル組み立て装置１０は、鼻緒９２の先端部９２ａに台９１の貫通孔９１ｃを通過させるために必要な作業者の力を低減することができるので、作業者の負担を軽減することができるとともに、ビーチサンダル９０の組み立ての作業時間を短縮することができる。
【００６２】
なお、サンダル組み立て装置１０は、鼻緒９２の先端部９２ａに台９１の貫通孔９１ｃを通過させるために作業者が台押用部材４０の取っ手４３を押す方向が矢印１０ａで示す鉛直方向における上側から下側への方向以外の方向であっても良い。例えば、サンダル組み立て装置１０は、鼻緒９２の先端部９２ａに台９１の貫通孔９１ｃを通過させるために作業者が台押用部材４０の取っ手４３を押す方向が矢印１０ａで示す鉛直方向における下側から上側への方向であっても良い。
【００６３】
サンダル組み立て装置１０は、通過用部材２０が図１１に示すように台９１の貫通孔９１ｃに挿入されているとともに支持部材３０に支持されている場合に、台押用部材４０の長穴４０ｃに通過用部材２０が挿入されて、支持部材３０の支点用溝部３２ａに台押用部材４０の一端４０ａ側が挿入されるように、台押用部材４０が移動させられるだけで、支持部材３０および台９１に対して台押用部材４０が適切な位置に配置されるので、ビーチサンダル９０の組み立ての作業性を向上することができる。
【００６４】
サンダル組み立て装置１０は、台９１の貫通孔９１ｃの両側で台押用部材４０によって台９１を均一に押すので、台押用部材４０によって台９１を押す力が台９１の貫通孔９１ｃの両側で不均一である構成と比較して、鼻緒９２の先端部９２ａに台９１の貫通孔９１ｃを通過させるために必要な作業者の力を低減することができる。したがって、サンダル組み立て装置１０は、作業者の負担を軽減することができるとともに、ビーチサンダル９０の組み立ての作業時間を短縮することができる。
【００６５】
サンダル組み立て装置１０は、通過用部材２０の二股部２２ａの間に鼻緒９２の先端部９２ａが挟み込まれるだけで鼻緒９２の先端部９２ａが通過用部材２０の先端固定部２２に固定されるので、ビーチサンダル９０の組み立ての作業性を向上することができる。
【００６６】
なお、サンダル組み立て装置１０は、鼻緒９２の先端部９２ａが通過用部材２０の先端固定部２２に固定されることができれば、二股部２２ａの間に鼻緒９２の先端部９２ａを挟み込む方法以外の方法で、鼻緒９２の先端部９２ａが通過用部材２０の先端固定部２２に固定されるようになっていても良い。
【００６７】
サンダル組み立て装置１０は、図１０に示すように、鼻緒９２の柱状部９２ｂの延在方向が通過用部材２０の延在方向と直交する状態で鼻緒９２の先端部９２ａが嵌る溝部２２ｂを二股部２２ａが備えているので、鼻緒９２の先端部９２ａが台９１の貫通孔９１ｃを通過する際に台９１に対して鼻緒９２の先端部９２ａが傾けられる。そのため、サンダル組み立て装置１０は、鼻緒９２の先端部９２ａが台９１の貫通孔９１ｃを通過するために必要な貫通孔９１ｃの拡がりを抑えることができ、鼻緒９２の先端部９２ａに台９１の貫通孔９１ｃを通過させるために必要な作業者の力を低減することができる。したがって、サンダル組み立て装置１０は、作業者の負担を軽減することができるとともに、ビーチサンダル９０の組み立ての作業時間を短縮することができる。
【００６８】
なお、サンダル組み立て装置１０は、鼻緒９２の柱状部９２ｂの延在方向が通過用部材２０の延在方向と直交する状態で鼻緒９２の先端部９２ａが嵌る溝部２２ｂを二股部２２ａが備えていなくても、鼻緒９２の柱状部９２ｂの延在方向が通過用部材２０の延在方向と交差する状態で鼻緒９２の先端部９２ａが嵌る溝部２２ｂを二股部２２ａが備えていれば、鼻緒９２の柱状部９２ｂの延在方向が通過用部材２０の延在方向と平行な状態で鼻緒９２の先端部９２ａが嵌る溝部２２ｂを二股部２２ａが備えている構成と比較して、鼻緒９２の先端部９２ａが台９１の貫通孔９１ｃを通過する際に台９１に対して鼻緒９２の先端部９２ａが傾けられる。
【００６９】
サンダル組み立て装置１０は、図１３に示すように、台９１の踵側の２つの貫通孔９１ｃに別々に挿入されている状態の２つの通過用部材２０を支持部材３０の２つの支持部３３ａによって別々に支持している状態で作業者によって台押用部材４０で台９１が押されることによって、鼻緒９２の２つの先端部９２ａに台９１の２つの貫通孔９１ｃを１回の工程で通過させることができるので、ビーチサンダル９０の組み立ての作業の工程の数を低減することができる。したがって、サンダル組み立て装置１０は、作業者の負担を軽減することができる。
【００７０】
また、サンダル組み立て装置１０は、支持部３３ａを２つ備えているので、２つの支持部３３ａの何れか一方が多数回の使用によって摩耗して使用が不可能になった場合であっても、２つの支持部３３ａのうち摩耗していない方でビーチサンダル９０の組み立ての作業を継続することができる。
【００７１】
なお、サンダル組み立て装置１０は、本実施の形態において、支持部３３ａを２つ備えているが、支持部３３ａを１つのみ備えている構成であっても良いし、支持部３３ａを３つ以上備えている構成であっても良い。
【００７２】
サンダル組み立て装置１０は、以上に説明したように簡単な構成であるので、装置全体を小型に製造することが可能である。したがって、サンダル組み立て装置１０は、容易に持ち運ばれることができる。
【００７３】
また、サンダル組み立て装置１０は、小型に製造することが可能であるので、設置場所の選定を容易化することができる。したがって、サンダル組み立て装置１０は、ビーチサンダル９０を組み立て可能な場所を増加させることができる。特に、サンダル組み立て装置１０は、電気を必要としないので、商用電源から電気の供給を受けることができる場所に設置される必要がなく、ビーチサンダル９０を組み立て可能な場所を更に増加させることができる。
【符号の説明】
【００７４】
１０  サンダル組み立て装置
１０ａ  矢印（鉛直方向を示す矢印）
２０  通過用部材
２１  被支持部
２２  先端固定部
２２ａ  二股部
２２ｂ  溝部
３０  支持部材
３２ａ  支点用溝部
３３ａ  支持部
４０  台押用部材
４０ａ  一端
４０ｂ  他端
４０ｃ  長穴
４１  作用点部
４２  支点部
４３  取っ手（力点部）
９０  ビーチサンダル（サンダル）
９１  台
９１ｃ  貫通孔
９１ｄ  溝
９２  鼻緒
９２ａ  先端部
９２ｂ  柱状部
【図１】
0006533096.tif 000002
【図２】
0006533096.tif 000003
【図３】
0006533096.tif 000004
【図４】
0006533096.tif 000005
【図５】
0006533096.tif 000006
【図６】
0006533096.tif 000007
【図７】
0006533096.tif 000008
【図８】
0006533096.tif 000009
【図９】
0006533096.tif 000010
【図１０】
0006533096.tif 000011
【図１１】
0006533096.tif 000012
【図１２】
0006533096.tif 000013
【図１３】
0006533096.tif 000014